(57)【要約】【課題】  リールロックの摺接部が磨耗した際に、リールロックが傾くのを防止することができる磁気テープカートリッジを提供する。【解決手段】  磁気テープＭＴが巻装され、カートリッジケース内に回転自在に収容されるリール２０と、常時弾性体により前記リール２０側に押圧されることで前記リール２０を前記カートリッジケースに対して回転不能に係止するリールロック３０と、このリールロック３０を前記弾性体の付勢力に対して押し上げることで、前記係止を解除して前記リール２０を回転可能とするリリースパッド５０とを備えた磁気テープカートリッジであって、前記リールロック３０の前記リリースパッド５０側には、前記リリースパッド５０の摺接面５２と摺接して前記リリースパッド３０の回転を支持するピボット３１が設けられているとともに、前記ピボット３１の周囲に前記ピボット３１より後退した位置に傾動防止突起３２が設けられている。【選択図】      図３
2005050450.tif 000002
【特許請求の範囲】
【請求項１】
磁気テープが巻装され、カートリッジケース内に回転自在に収容されるリールと、常時弾性体により前記リール側に押圧されることで前記リールを前記カートリッジケースに対して回転不能に係止するリールロックと、このリールロックを前記弾性体の付勢力に対して押し上げることで、前記係止を解除して前記リールを回転可能とするリリースパッドとを備えた磁気テープカートリッジであって、
前記リールロックの前記リリースパッド側には、前記リリースパッドの摺接面と摺接して前記リリースパッドの回転を支持するピボットが設けられているとともに、前記ピボットの周囲に前記ピボットより後退した位置に傾動防止突起が設けられていることを特徴とする磁気テープカートリッジ。
【請求項２】
前記傾動防止突起は、前記ピボットの周囲に、複数個形成されていることを特徴とする請求項１に記載の磁気テープカートリッジ。
【請求項３】
前記傾動防止突起は、前記ピボットの周囲に、等間隔で３個形成されていることを特徴とする請求項１に記載の磁気テープカートリッジ。
【請求項４】
前記傾動防止突起は、前記ピボットの周囲に、ボールを埋設することで形成されていることを特徴とする請求項１から請求項３のいずれか１項に記載の磁気テープカートリッジ。
【請求項５】
前記傾動防止突起は、前記ピボットの周囲に帯状に形成されていることを特徴とする請求項１に記載の磁気テープカートリッジ。
【発明の詳細な説明】
【技術分野】
【０００１】
本発明は磁気テープカートリッジに関し、詳しくはリールロックの摺接部が磨耗した際に、リールロックが傾くのを防止することができる磁気テープカートリッジに関する。
【背景技術】
【０００２】
従来、コンピュータ等のデータバックアップ用の外部記録媒体として、いわゆるＬＴＯ（Linear Tape‐Open）規格に準拠した磁気テープカートリッジが知られている。前記磁気テープカートリッジは、カートリッジケース内に磁気テープが巻装されたリールを回転自在に収容しており、未使用時は、リールが不用意に回転しないように、リールロックによりリールの回転をロックし、使用時にのみリールのロック状態をリリースパッドにより解除するように構成されている。なお、リールロック及びリリースパッドは、リールの中心部に形成されたカップ状のハブ内に収容されている。
【０００３】
図５（ａ）は、従来の磁気テープカートリッジにおけるリールロックとリリースパッドとの摺接状態を拡大して示す概略断面図である。なお、図５（ａ）では、磁気テープカートリッジの使用時の状態を示している。図５（ａ）を参照して、磁気テープカートリッジの使用時、すなわちドライブのリール駆動機構Ｄによりリール２００を回転させた際には、リール２００のハブ２０１内に収容されているリリースパッド５００は、リール２００と共に回転する。このとき、リールロック３００の下面中央部に形成された球面状の突起３０１が、リリースパッド５００の上面中央部に形成された摺接面５０１と摺接する。なお、リールロック３００は、圧縮コイルバネ４００により、リリースパッド５００に向けて付勢されている。
【０００４】
しかし、磁気テープカートリッジを長期に渡って使用すると、リールロック３００の突起３０１が、リリースパッド５００の摺接面５０１との摺接により磨耗する。このとき、突起３０１が偏磨耗すると、リールロック３００が傾くという問題があった（図５（ｂ）参照）。そして、リールロック３００が傾くと、リールロック３００の周縁３０２が、リール２００のハブ２０１内に形成されている係合部２０２と接触し、その接触により異音が発生する。そこで、リールロック３００の突起３０１の磨耗を防止することを目的として、リリースパット５００の摺接面５０１に金属板を貼り付けるという従来技術が特許文献１に開示されている。なお、前記係合部２０２は、リールロック３００がリール２００の回転をロックする際に、リールロック３００の下面に形成された係合面３０３と係合するためのものである。
【特許文献１】特開２００２−１９７８３３号公報（段落００１６、図５）
【発明の開示】
【発明が解決しようとする課題】
【０００５】
しかしながら、特許文献１に開示されている従来技術では、リリースパッドの摺接面に金属板を貼り付ける工程を別途設ける必要があるため、製造コストが高くなるという問題があった。また、重要なことは、磁気テープカートリッジの使用時にリールロックが傾くのを防止することであり、リールロックの摺接部の磨耗を防止することではない。
【０００６】
そこで、本発明は、前記した問題を解決し、リールロックの摺接部が磨耗した際に、リールロックが傾くのを防止することができる磁気テープカートリッジを提供することを目的とする。
【課題を解決するための手段】
【０００７】
前記問題を解決するため、本発明に係る磁気テープカートリッジは、磁気テープが巻装され、カートリッジケース内に回転自在に収容されるリールと、常時弾性体により前記リール側に押圧されることで前記リールを前記カートリッジケースに対して回転不能に係止するリールロックと、このリールロックを前記弾性体の付勢力に対して押し上げることで、前記係止を解除して前記リールを回転可能とするリリースパッドとを備えた磁気テープカートリッジであって、前記リールロックの前記リリースパッド側には、前記リリースパッドの摺接面と摺接して前記リリースパッドの回転を支持するピボットが設けられているとともに、前記ピボットの周囲に前記ピボットより後退した位置に傾動防止突起が設けられていることを特徴とする磁気テープカートリッジ。
【０００８】
このように構成された磁気テープカートリッジによれば、磁気テープカートリッジを長期に渡って使用し、リールロックの摺接部がリリースパッドの摺接面との摺接により磨耗した際は、リールロックの傾動防止突起がリリースパッドの上面と当接することにより、リールロックが傾くのを防止し、偏磨耗を防止する。また、前記傾動防止突起は、樹脂成形等により、リールロックと一体に形成することができるので、磁気テープカートリッジを製造する際の製造コストが高くなるという問題も生じない。
【０００９】
なお、前記傾動防止突起は、摺接部の周囲に、複数個、好ましくは等間隔で３個形成することが好ましい。また、前記傾動防止突起は、摺接部の周囲に、金属または樹脂製のボールを埋設することにより形成することもできる。さらに、前記傾動防止突起は、摺接部の周囲に、帯状に形成することもできる。
【発明の効果】
【００１０】
本発明に係る磁気テープカートリッジによれば、リールロックの摺接部が磨耗した際に、リールロックが傾くのを防止することができる。
【発明を実施するための最良の形態】
【００１１】
以下、本発明に係る磁気テープカートリッジの実施の形態について、適宜図面を参照して説明する。参照する図面において、図１は、磁気テープカートリッジの構成部品を示す分解斜視図である。また、図２は、図１に示した磁気テープカートリッジに含まれるリールロック３０を示す拡大斜視図である。なお、図２では、図１で示すリールロック３０を上下逆に示している。
【００１２】
まず、磁気テープカートリッジの構成について説明する。図１に示す磁気テープカートリッジは、いわゆるＬＴＯ規格に準拠した磁気テープカートリッジであり、下ハーフ１０Ａと上ハーフ１０Ｂとに分割して構成されたカートリッジケース１０の内部に、磁気テープＭＴが巻装されたリール２０、リール２０の回転をロックするためのリールロック３０および圧縮コイルばね４０、リール２０のロック状態を解除するためのリリースパッド５０、下ハーフ１０Ａおよび上ハーフ１０Ｂに跨ってカートリッジケース１０に形成された磁気テープ引出口１１を開閉するスライドドア６０、スライドドア６０を磁気テープ引出口１１の閉位置に付勢するねじりコイルばね７０、誤消去防止爪８０、カートリッジメモリチップ９０などを組み込んで構成されている。また、下ハーフ１０Ａの底面中央部には、リール２０のハブ２１の底部２２外面（図示せず）が露出するリール駆動用の開口１２が設けられている。
【００１３】
リール２０は、図１に示すように、上ハーフ１０Ｂ側に開口するカップ状のハブ２１を中心部に有し、ハブ２１の底部２２の内面周辺部には、リリースパッド５０の下面に突設されたロック解除ピン５１を導出させる３個（図１では１個のみ図示する）の導出孔２３が等間隔で形成されている。また、ハブ２１の底部２２の内面周辺部には、各導出孔２３の中間に、係合部２４が３個所突設されている（図１では２箇所のみ図示する）。なお、各係合部２４の上面には、放射状の刃筋を有する断面三角形の凹凸が形成されている。さらに、ハブ２１の壁部２５には、上下に延びる複数の補強用リブ２６が各導出孔２３の開口個所をよけて形成されている。このように構成されたハブ２１の内部には、リリースパッド５０、リールロック３０、圧縮コイルばね４０が順次組み付けられる。
【００１４】
リールロック３０は、図２に示すように、略円板状に形成されており、その下面中央部（図２においては上面中央）には、球面状のピボット３１が形成されている。そして、ピボット３１の周囲には、３つの凸状の傾動防止突起３２，３２，３２が等間隔で形成されている。これらの傾動防止突起３２，３２，３２は、リールロック３０と一体に形成されている。なお、傾動防止突起３２，３２の高さは、突起３１よりも低く設定されている。
【００１５】
また、リールロック３０の下面周辺部（図２においては上面周辺部）には、リール２０のハブ２１内に形成された係合部２４に係脱可能な放射状の刃筋を有する断面三角形の係合面３３が形成されている。また、リールロック３０の上面中央部（図２においては下面中央部）には、上ハーフ１０Ｂの内面中央部に突設された係合突起１３（図１参照）が挿入される十字状の係合筒部３４が突設されている。このリールロック３０は、係合筒部３４に外装されて上ハーフ１０Ｂとの間に介設される圧縮コイルばね４０により下方のリリースパッド５０に向けて付勢され、下面に形成された係合面３３がハブ２１の底部２２に形成された係合部２４と係合する。
【００１６】
リリースパッド５０は、略三角形の板状に形成されており、各角部の下面には、ハブ２１の底部２２を貫通するロック解除ピン５１（図１では２個のみ図示する）が突設されている。また、リリースパッド５０の上面中央部には、リールロック３０の下面中央部に形成されたピボット３１（図２参照）と摺接する凸状の摺接面５２が形成されている。このリリースパッド５０は、ハブ２１の底部２２の内面とリールロック３０との間に介設される。
【００１７】
次に、以上のように構成された磁気テープカートリッジの使用時におけるリールロック３０とリリースパッド５０との摺接状態について、図３を参照して説明する。参照する図面において、図３は、図１に示した磁気テープカートリッジにおけるリールロック３０とリリースパッド５０との摺接状態を拡大して示す概略断面図であり、（ａ）はリールロック３０の摺接部が磨耗する前の状態を示し、（ｂ）はリールロック３０の摺接部が磨耗した状態を示す。なお、図３（ａ），（ｂ）では、磁気テープカートリッジの使用時の状態を示している。
【００１８】
図３（ａ）に示すように、磁気テープカートリッジの使用時に、ドライブのリール駆動機構Ｄによりリール２０を回転させた際には、リールロック３０のピボット３１は、リール２０と共に回転するリリースパッド５０の摺接面５２と摺接する。このとき、ピボット３１の周囲に形成された傾動防止突起３２（図３（ａ）では２個のみ図示する）は、ピボット３１よりも高さが低く、後退しているので、リリースパッド５０の摺接面５２とは当接しない。つまり、傾動防止突起３２は、ピボット３１がリリースパッド５０の摺接面５２と摺接する際の邪魔にはならない。
【００１９】
そして、図３（ｂ）に示すように、磁気テープカートリッジを長期に渡って使用し、リールロック３０のピボット３１が、リリースパッド５０の摺接面５２との摺接により磨耗した際は、ピボット３１の周囲に形成された傾動防止突起３２，３２，３２がリリースパッド５０の上面と当接することにより、リールロック３０が傾くのを防止し、偏磨耗することを防止できる。
【００２０】
次に、リールロック３０の下面に形成される傾動防止突起の変形例について図４（ａ）及び図４（ｂ）を参照して説明する。
【００２１】
図４（ａ）に示すように、リールロック３０の下面に、インサート成形により金属または樹脂製のボールを埋設することにより傾動防止突起３５，３５，３５を形成することができる。
ピボット３１の周囲には、３つのボールの傾動防止突起３５，３５，３５が等間隔で形成されている。また、傾動防止突起３５，３５，３５の高さは、ピボット３１よりも低く設定されている。従って、傾動防止突起３５，３５，３５がリリースパット５０に摺接するときには、この傾動防止突起３５，３５，３５は少ない接触面積でバランス良くリリースパット５０と摺接する。なお、このボールは、リールロック３０に回転自在に埋設するのが望ましい。そうすることで、傾動防止突起３５，３５，３５がリリースパット５０に当接した際、ボールがリリースパット５０上で転動し、リールロック３０がリリースパット５０に対して傾くことなく、かつ、滑らかに回転できる。
【００２２】
また、図４（ｂ）に示すように、ピボット３１の周囲の全周に渡って傾動防止突起３６を帯状に形成することもできる。
この傾動防止突起３６は、リールロック３０と一体に形成されている。また、傾動防止突起３６の高さは、ピボット３１よりも低く設定されている。従って、ピボット３１の如何なる偏磨耗の状態に関わらず、リールロック３０がリリースパット５０に対して傾くことがない。
【図面の簡単な説明】
【００２３】
【図１】磁気テープカートリッジの構成部品を示す分解斜視図である。
【図２】リールロックを示す拡大斜視図である。
【図３】本発明に係る磁気テープカートリッジにおけるリールロックとリリースパッドとの摺接状態を拡大して示す概略断面図であり、（ａ）はリールロックの摺接部が磨耗する前の状態を示し、（ｂ）はリールロックの摺接部が磨耗した状態を示す。
【図４】リールロックを示す拡大斜視図であり、（ａ）はピボットの周囲に金属または樹脂製のボールを埋設することにより傾動防止突起を形成した例を示し、（ｂ）はピボットの周囲に傾動防止突起を帯状に形成した例を示す。
【図５】従来の磁気テープカートリッジにおけるリールロックとリリースパッドとの摺接状態を拡大して示す概略断面図であり、（ａ）はリールロックの摺接部が磨耗する前の状態を示し、（ｂ）はリールロックの摺接部が磨耗した状態を示す。
【符号の説明】
【００２４】
２０    リール
３０    リールロック
３１    ピボット
３２    傾動防止突起
５０    リリースパッド
５２    摺接面
【図１】
2005050450.tif 000003
【図２】
2005050450.tif 000004
【図３】
2005050450.tif 000005
【図４】
2005050450.tif 000006
【図５】
2005050450.tif 000007